(57)【要約】      （修正有）【課題】シューズにおいて、内側縦アーチを重点とする着用者の足に対するフィット感およびサポート性を向上させることができるようにする。【解決手段】アッパー２は、下側および上側アッパー部５，１０と、着用者の足Ｆの内甲側に対応する位置に配置された第１間隙部１１と、下側および上側アッパー部５，１０を互いに緊締するための緊締部２０と、を有している。下側アッパー部５は、足Ｆの内側縦アーチを下方から支持するための第１アーチ被覆部７を含む。第１間隙部１１は、内側縦アーチに対応する位置に配置された第１アーチ領域１１ｂを含む。緊締部２０は、少なくとも第１アーチ領域１１ｂの上下方向の間隔が狭まるように該間隔を調整可能に構成されている。【選択図】図２
2020039477.tif 000002
【特許請求の範囲】
【請求項１】
ソールおよびアッパーを備えたシューズであって、
前記アッパーは、
前記ソールの周縁部に固着された下側アッパー部と、
前記下側アッパー部よりも上方に配置された上側アッパー部と、
着用者の足の内甲側に対応する位置に配置され、前記下側アッパー部と前記上側アッパー部との上下方向の間に設けられた第１間隙部と、
少なくとも前記第１間隙部に配置され、前記下側アッパー部と前記上側アッパー部とを互いに緊締するための緊締部と、を有し、
前記下側アッパー部は、着用者の足の内甲側に対応する位置に配置され、着用者の足の内側縦アーチを下方から支持するための第１アーチ被覆部を含み、
前記第１間隙部は、着用者の足の内側縦アーチに対応する位置に配置された第１アーチ領域を含み、
前記緊締部は、少なくとも前記第１アーチ領域の上下方向の間隔が狭まるように該間隔を調整可能に構成されている、シューズ。
【請求項２】
請求項１に記載のシューズにおいて、
前記第１間隙部は、着用者の足の内側縦アーチよりも前側に位置する足指に対応するように配置されかつ前記第１アーチ領域と連続する第１足指領域をさらに含み、
前記緊締部は、前記第１アーチ領域および前記第１足指領域における上下方向の各間隔が狭まるように該間隔を調整可能に構成されている、シューズ。
【請求項３】
請求項２に記載のシューズにおいて、
前記第１アーチ領域の上下方向の間隔は、前記第１足指領域の上下方向の間隔よりも大きい、シューズ。
【請求項４】
請求項１〜３のいずれか１項に記載のシューズにおいて、
前記アッパーは、着用者の足の外甲側に対応する位置に配置され、前記下側アッパー部と前記上側アッパー部との上下方向の間に設けられた第２間隙部をさらに有し、
前記下側アッパー部は、着用者の足の外甲側に対応する位置に配置され、着用者の足の外側縦アーチを側方から覆うための第２アーチ被覆部を含み、
前記第２間隙部は、着用者の足の外側縦アーチに対応する位置に配置された第２アーチ領域を含み、
前記緊締部は、前記第２間隙部において前記下側アッパー部と前記上側アッパー部とを緊締しかつ前記第２アーチ領域の上下方向の間隔が狭まるように該間隔を調整可能に構成されている、シューズ。
【請求項５】
請求項４に記載のシューズにおいて、
前記緊締部は、少なくとも１本の紐部を含み、該紐部の端部同士が前記上側アッパー部の後部の位置で互いに結ばれた状態となるように構成されている、シューズ。
【発明の詳細な説明】
【技術分野】
【０００１】
本発明は、シューズに関するものである。
【背景技術】
【０００２】
従来、着用者の足に対するフィット性を高めたシューズとして、例えば特許文献１のようなシューズが提案されている。
【０００３】
この特許文献１には、ソールと、ソールの上面に設けられた短ソックス上のアッパー（インナー）と、ソールに取付固定されかつアッパーの外側に配置された複数の短尺ベルトを含む締付材と、を備えたシューズが開示されている。
【先行技術文献】
【特許文献】
【０００４】
【特許文献１】特許第２８３２６８４号公報
【発明の概要】
【発明が解決しようとする課題】
【０００５】
特許文献１のシューズでは、アッパーを締付材の短尺ベルトで強く締め付けた場合には、その締め付け力によりアッパーに対して過度な応力が集中してしまい、アッパーにしわが生じやすくなる。このしわの発生により、アッパーを着用者の足の外周面にフィットさせにくくなっていた。特に、締付材の短尺ベルトを締め付けた場合には、アッパーを、複雑な曲面形状を有する内側縦アーチの位置を含む着用者の足に対して適切にフィットさせることが困難となっていた。
【０００６】
本発明は斯かる点に鑑みてなされたものであり、その目的は、少なくとも内側縦アーチを重点とする着用者の足に対するフィット感およびサポート性を向上させることができるようにすることにある。
【課題を解決するための手段】
【０００７】
上記の目的を達成するために、本発明の第１の形態はソールおよびアッパーを備えたシューズに係るものであり、アッパーは、ソールの周縁部に固着された下側アッパー部と、下側アッパー部よりも上方に配置された上側アッパー部と、着用者の足の内甲側に対応する位置に配置され、下側アッパー部と上側アッパー部との上下方向の間に設けられた第１間隙部と、少なくとも第１間隙部に配置され、下側アッパー部と上側アッパー部とを互いに緊締するための緊締部と、を有している。下側アッパー部は、着用者の足の内甲側に対応する位置に配置され、着用者の足の内側縦アーチを下方から支持するための第１アーチ被覆部を含む。第１間隙部は、着用者の足の内側縦アーチに対応する位置に配置された第１アーチ領域を含む。そして、緊締部は、少なくとも第１アーチ領域の上下方向の間隔が狭まるように該間隔を調整可能に構成されていることを特徴とする。
【０００８】
この第１の形態において、緊締部により第１アーチ領域の上下方向の間隔が狭められた場合には、下側および上側アッパー部の各々が内側縦アーチの位置を含む着用者の足の外周面に向かって接近するようになる。かかる場合において、第１アーチ領域はその上下方向の間隔が相対的に小さくなるように変位するに過ぎないことから、下側および上側アッパー部の各々に対する過度な応力集中が抑制される。このため、下側および上側アッパー部の各々にしわ等が生じにくくなる。その結果、下側および上側アッパー部を、内側縦アーチの位置を含む着用者の足の外周面にフィットさせやすくなる。特に、内甲側に位置する下側アッパー部の第１アーチ被覆部を、複雑な湾曲形状となる着用者の足の内側縦アーチに対して下方からフィットさせやすくなる。そして、内側縦アーチを重点とする着用者の足を、下側アッパー部および上側アッパー部によりシューズ内でずれないように安定的に支持することが可能となる。したがって、第１の形態では、少なくとも内側縦アーチを重点とする着用者の足に対するフィット感およびサポート性を向上させることができる。
【０００９】
第２の形態は、第１の形態において、第１間隙部は、着用者の足の内側縦アーチよりも前側に位置する足指に対応するように配置されかつ第１アーチ領域と連続する第１足指領域をさらに含み、緊締部は、第１アーチ領域および第１足指領域における上下方向の各間隔が狭まるように該各間隔を調整可能に構成されていることを特徴とする。
【００１０】
この第２の形態では、緊締部により第１アーチ領域および第１足指領域の双方における上下方向の間隔を狭めることにより、下側および上側アッパー部を、足指から内側縦アーチに亘る部位を含む着用者の足の外周面にフィットさせやすくなる。そして、着用者の足において足指から内側縦アーチに亘る部位を、下側アッパー部および上側アッパー部によりシューズ内でずれないように安定的に支持することが可能となる。したがって、第２の形態では、足指および内側縦アーチを重点とする着用者の足に対するフィット感およびサポート性を向上させることができる。
【００１１】
第３の形態は、第２の形態において、第１アーチ領域の上下方向の間隔は、第１足指領域の上下方向の間隔よりも大きいことを特徴とする。
【００１２】
この第３の形態では、第１アーチ領域の上下方向の間隔を狭めるための調整量が相対的に大きくなる。このため、内側縦アーチを重点とする着用者の足に対するフィット感およびサポート性を向上させることができる。
【００１３】
第４の形態は、第１〜第３のいずれか１つの形態において、アッパーは、着用者の足の外甲側に対応する位置に配置され、下側アッパー部と上側アッパー部との上下方向の間に設けられた第２間隙部をさらに有している。下側アッパー部は、着用者の足の外甲側に対応する位置に配置され、着用者の足の外側縦アーチを側方から覆うための第２アーチ被覆部を含む。第２間隙部は、着用者の足の外側縦アーチに対応する位置に配置された第２アーチ領域を含む。そして、緊締部は、第２間隙部において下側アッパー部と上側アッパー部とを緊締しかつ第２アーチ領域の上下方向の間隔が狭まるように該間隔を調整可能に構成されていることを特徴とする。
【００１４】
この第４の形態では、緊締部により第２アーチ領域の上下方向の間隔が狭められた場合には、下側および上側アッパー部の各々が外側縦アーチの位置を含む着用者の足の外周面に向かって接近するようになる。かかる場合において、第２アーチ領域はその上下方向の間隔が相対的に小さくなるように変位するに過ぎないことから、外甲側において下側および上側アッパー部の各々に対する過度な応力集中が抑制される。このため、外甲側において下側および上側アッパー部の各々にしわ等が生じにくくなる。その結果、下側および上側アッパー部を、外甲側において着用者の足の外周面にフィットさせやすくなる。特に、外甲側に位置する下側アッパー部の第２アーチ被覆部を、着用者の足の外側縦アーチを構成する各骨の一部が外甲側に向かって突出する部位をその側方から包み込むようにフィットさせやすくなる。したがって、第４の形態では、外側縦アーチを含めた着用者の足に対するフィット感を向上させることができる。
【００１５】
第５の形態は、第４の形態において、緊締部は、少なくとも１本の紐部を含み、該紐部の端部同士が上側アッパー部の後部の位置で互いに結ばれた状態となるように構成されていることを特徴とする。
【００１６】
この第５の形態では、第１および第２間隙部に配置された紐部を一般的なシューズのように縛ることができる。
【発明の効果】
【００１７】
以上説明したように、本発明によると、少なくとも内側縦アーチを重点とする着用者の足に対するフィット感およびサポート性を向上させることができる。
【図面の簡単な説明】
【００１８】
【図１】図１は、実施形態に係るシューズを示す平面図である。
【図２】図２は、実施形態に係るシューズを、足の骨格構造と併せて内甲側から見て示す側面図である。
【図３】図３は、実施形態に係るシューズを、足の骨格構造と併せて外甲側から見て示す側面図である。
【図４】図４は、図１のIV−IV線断面図である。
【図５】図５は、紐部を緩めた状態の図４相当図である。
【図６】図６は、実施形態に係るシューズの変形例１を示す平面図である。
【図７】図７は、実施形態に係るシューズの変形例１を内甲側から見て示す斜視図である。
【図８】図８は、実施形態に係るシューズの変形例１を外甲側から見て示す斜視図である。
【図９】図９は、実施形態に係るシューズの変形例２を示す図１相当図である。
【発明を実施するための形態】
【００１９】
以下、本発明の実施形態を図面に基づいて詳細に説明する。以下の実施形態の説明は、本質的に例示に過ぎず、本発明、その適用物或いはその用途を制限することを意図するものではない。
【００２０】
図１〜図３は、本発明の実施形態に係るシューズＳの全体を示している。このシューズＳは、例えばランニング用や各種競技用のスポーツシューズ、日常使用のスニーカーおよびリハビリ用シューズとして使用される。
【００２１】
ここで、シューズＳは、左足用シューズのみを例示している。右足用シューズは、左足用シューズと左右対称になるように構成されているので、以下の説明では左足用シューズのみについて説明し、右足用シューズの説明は省略する。
【００２２】
また、以下の説明において、上側および下側とはシューズＳの上下方向の位置関係を表し、前方（前側）および後方（後側）とはシューズＳの前後方向の位置関係を表し、内甲側および外甲側とはシューズＳの足幅方向の位置関係を表すものとする。
【００２３】
（ソール）
図２〜図４に示すように、シューズＳは、ソール１を備えている。ソール１は、アウトソール１ａおよびミッドソール１ｂを有している。
【００２４】
アウトソール１ａは、着用者の足Ｆの前足部から後足部に亘る範囲に対応して配設されている。アウトソール１ａは、ミッドソール１ｂよりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００２５】
ミッドソール１ｂは、着用者の足Ｆの足裏面を支持するように構成されている。ミッドソール１ｂは、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。ミッドソール１ｂは、接着剤などによりアウトソール１ａの上側に積層配置されている。
【００２６】
（アッパー）
次に、図１〜図５に示すように、シューズＳは、着用者の足Ｆを覆うためのアッパー２を備えている。
【００２７】
アッパー２の上部には、着用者の足Ｆを挿入するための足挿入部２ａが設けられている。足挿入部２ａは、後述する後側アッパー部４の上端部および後述する上側アッパー部１０の後端部により構成されている。
【００２８】
（前側および後側アッパー部）
アッパー２は、前側および後側アッパー部３，４を有している。前側および後側アッパー部３，４の各々は、例えば、編物、織物、不織布、合成皮革、人工皮革、天然皮革などにより構成されている。
【００２９】
前側アッパー部３は、着用者の足指に対応する位置に配置されている。前側アッパー部３の下端部は、ソール１（ミッドソール１ｂ）前部の周縁部に固着されている。
【００３０】
後側アッパー部４は、着用者の足Ｆの踵部に対応する位置に配置されている。後側アッパー部４の下端部は、ソール１（ミッドソール１ｂ）後部の周縁部に固着されている。
【００３１】
（下側アッパー部）
図１〜図５に示すように、アッパー２は、下側アッパー部５，５を有している。下側アッパー部５，５は、前側および後側アッパー部３，４と同様に、編物、織物、不織布、合成皮革、人工皮革、天然皮革などにより構成されている。
【００３２】
各下側アッパー部５は、着用者の足Ｆの内甲側および外甲側の各々に対応する位置に配置されている。各下側アッパー部５は、着用者の足指から踵部に亘る範囲に対応するように前後方向に延びている（図２および図３参照）。各下側アッパー部５は、下端部がソール１（ミッドソール１ｂ）の周縁部に固着されている。
【００３３】
各下側アッパー部５は、前側および後側アッパー部３，４の各々と一体形成されている。具体的に、各下側アッパー部５は、前端部が前側アッパー部３の後端部と連続するように前側アッパー部３と一体形成されている。また、各下側アッパー部５は、後端部が後側アッパー部４の前端部と連続するように後側アッパー部４と形成されている。
【００３４】
なお、図１〜図３の破線Ｌ１，Ｌ１は、前側アッパー部３と下側アッパー部５，５との境界部を仮想的に示すものである。また、図２および図３の破線Ｌ２，Ｌ２は、後側アッパー部４と下側アッパー部５，５との境界部を仮想的に示すものである。
【００３５】
（第１足指被覆部および第１アーチ被覆部）
図２に示すように、内甲側に位置する下側アッパー部５は、第１足指被覆部６および第１アーチ被覆部７を有している。第１足指被覆部６および第１アーチ被覆部７は、前後方向において互いに連続している。なお、図１〜図３の破線Ｌ３は、第１足指被覆部６と第１アーチ被覆部７との境界部を仮想的に示すものである。
【００３６】
第１足指被覆部６は、例えば、着用者の足Ｆの拇趾末節骨ＤＰから拇趾中足骨ＭＴ１の遠位骨頭近傍に亘る範囲に対応する位置に配置されている。
【００３７】
第１アーチ被覆部７は、着用者の足Ｆの拇趾中足骨ＭＴ１の遠位骨頭近傍から踵骨ＨＬの前後方向略中央に亘る範囲に対応する位置に配置されている。また、第１アーチ被覆部７の上端部は、着用者の足Ｆの拇趾中足骨ＭＴ１、内側楔状骨ＣＭ、舟状骨ＮＢ、距骨ＴＢ、および踵骨ＨＬの各々の下部側を繋ぐ曲線に沿って連続するように形成されている。そして、図４に示すように、第１アーチ被覆部７は、着用者の足Ｆの内側縦アーチＭＡを下方から支持するように構成されている。なお、一般的に、内側縦アーチＭＡは、拇趾中足骨ＭＴ１、内側楔状骨ＣＭ、舟状骨ＮＢ、距骨ＴＢ、および踵骨ＨＬにより構成される部位（いわゆる土踏まず）に相当する。
【００３８】
（第２足指被覆部および第２アーチ被覆部）
図３に示すように、外甲側に位置する下側アッパー部５は、第２足指被覆部８および第２アーチ被覆部９を有している。第２足指被覆部８および第２アーチ被覆部９は、前後方向において互いに連続している。なお、図１〜図３の破線Ｌ４は、第２足指被覆部８と第２アーチ被覆部９との境界部を仮想的に示すものである。
【００３９】
第２足指被覆部８は、着用者の足Ｆの拇趾末節骨ＤＰから小趾中足骨ＭＴ５の遠位骨頭近傍に亘る範囲に対応する位置に配置されている。
【００４０】
第２アーチ被覆部９は、着用者の足Ｆの小趾中足骨ＭＴ５の遠位骨頭近傍（ＭＰ関節近傍）から踵骨ＨＬの前後方向略中央に亘る範囲に対応する位置に配置されている。また、第２アーチ被覆部９の上端部は、着用者の足Ｆの小趾中足骨ＭＴ５、立方骨ＣＢ、および踵骨ＨＬの各々を繋ぐ曲線に沿って連続するように形成されている。そして、図４に示すように、第２アーチ被覆部９は、着用者の足Ｆの外側縦アーチＬＡを側方から覆うように構成されている。より具体的に、第２アーチ被覆部９は、着用者の足Ｆの外側縦アーチＬＡを構成する各骨の一部が外甲側に向かって突出する部位を覆うように構成されている。なお、一般的に、外側縦アーチＬＡは、小趾中足骨ＭＴ５、立方骨ＣＢ、および踵骨ＨＬにより構成される部位に相当する。
【００４１】
（上側アッパー部）
図１〜図５に示すように、アッパー２は、上側アッパー部１０を有している。上側アッパー部１０は、前側および後側アッパー部３，４と同様に、編物、織物、不織布、合成皮革、人工皮革、天然皮革などにより構成されている。
【００４２】
上側アッパー部１０は、下側アッパー部５，５よりも上方に配置されている。上側アッパー部１０は、着用者の足指から甲部に亘る範囲に対応する位置に配置されている。上側アッパー部１０は、前端部が前側アッパー部３の後端部と連続するように前側アッパー部３と一体形成されている。なお、図１〜図３の破線Ｌ５は、前側アッパー部３と上側アッパー部１０との境界部を仮想的に示すものである。
【００４３】
（第１間隙部）
図１および図２に示すように、アッパー２は、第１間隙部１１を有している。第１間隙部１１は、着用者の足Ｆの内甲側に対応する位置に配置されている。第１間隙部１１は、下側アッパー部５と上側アッパー部１０との上下方向の間に配設されている。
【００４４】
第１間隙部１１は、第１足指領域１１ａおよび第１アーチ領域１１ｂを含んでいる。第１足指領域１１ａおよび第１アーチ領域１１ｂは、前後方向において互いに連続している。
【００４５】
第１足指領域１１ａは、例えば、着用者の足Ｆの拇趾末節骨ＤＰから拇趾中足骨ＭＴ１の遠位骨頭近傍に亘る範囲に対応する位置に配置されている。
【００４６】
第１アーチ領域１１ｂは、着用者の足Ｆの拇趾中足骨ＭＴ１の遠位骨頭近傍（ＭＰ関節近傍）から踵骨ＨＬの前後方向略中央に亘る範囲に対応する位置に配置されている。すなわち、第１アーチ領域１１ｂは、着用者の足Ｆの内側縦アーチＭＡに対応する位置に配置されている。また、第１アーチ領域１１ｂは、第１アーチ被覆部７と隣接している。さらに、第１アーチ領域１１ｂは、上下方向の間隔が第１足指領域１１ａの上下方向の間隔よりも大きくなるように形成されている。
【００４７】
（第２間隙部）
図１および図３に示すように、アッパー２は、第２間隙部１２を有している。第２間隙部１２は、着用者の足Ｆの外甲側に対応する位置に配置されている。第２間隙部１２は、下側アッパー部５と上側アッパー部１０との上下方向の間に設けられている。
【００４８】
第２間隙部１２は、第２足指領域１２ａおよび第２アーチ領域１２ｂを含んでいる。第２足指領域１２ａおよび第２アーチ領域１２ｂは、前後方向において互いに連続している。
【００４９】
第２足指領域１２ａは、着用者の足Ｆの拇趾末節骨ＤＰから小趾中足骨ＭＴ５の遠位骨頭近傍に亘る範囲に対応する位置に配置されている。
【００５０】
第２アーチ領域１２ｂは、着用者の足Ｆの小趾中足骨ＭＴ５の遠位骨頭近傍（ＭＰ関節近傍）から踵骨ＨＬの前後方向略中央に亘る範囲に対応する位置に配置されている。すなわち、第２アーチ領域１２ｂは、着用者の足Ｆの外側縦アーチＬＡに対応する位置に配置されている。また、第２アーチ領域１２ｂは、第２アーチ被覆部９と隣接している。さらに、第２アーチ領域１２ｂは、上下方向の間隔が第２足指領域１２ａの上下方向の間隔よりも大きくなるように形成されている。
【００５１】
（緊締部）
図１〜図５に示すように、アッパー２は、緊締部２０を有している。緊締部２０は、第１足指領域１１ａおよび第１アーチ領域１１ｂにおける上下方向の各間隔が狭まるように該各間隔を調整可能に構成されている。また、緊締部２０は、第２アーチ領域１２ｂおよび第２足指領域１２ａにおける上下方向の各間隔が狭まるように該各間隔を調整可能に構成されている。
【００５２】
この実施形態において、緊締部２０は、孔部２１ａ，２１ａと、孔部２１ｂ，２１ｂ，…と、環状部２２ａ，２２ａ，…と、環状部２２ｂ，２２ｂ，…と、環状部２２ｃ，２２ｃと、１本の紐部２３とにより構成されている。
【００５３】
孔部２１ａ，２１ａおよび孔部２１ｂ，２１ｂの各々は、略円形状に貫通形成されている。孔部２１ａ，２１ａおよび孔部２１ｂ，２１ｂの各々は、上側アッパー部１０の周縁部寄りに配置されている。孔部２１ａ，２１ａは、上側アッパー部１０の前部寄りに配置されている。孔部２１ｂ，２１ｂは、上側アッパー部１０の孔部寄りに配置されている。
【００５４】
環状部２２ａ，２２ａ，…は、各下側アッパー部５の上端部に設けられている。各環状部２２ａは、略前後方向に沿って貫通した略筒状に形成されている。環状部２２ａ，２２ａ，…は、略前後方向において互いに間隔をあけて配置されている。
【００５５】
環状部２２ｂ，２２ｂ，…は、上側アッパー部１０における足幅方向の周縁部に設けられている。各環状部２２ｂは、略前後方向に沿って貫通した略筒状に形成されている。環状部２２ｂ，２２ｂ，…は、略前後方向において互いに間隔をあけて配置されている。
【００５６】
環状部２２ｃ，２２ｃは、後側アッパー部４における上側の前端部に配置されている。各環状部２２ｃは、略上下方向に沿って貫通した略筒状に形成されている。
【００５７】
紐部２３は、その中間部が上側アッパー部１０の前部下方に位置した状態で孔部２１ａ，２１ａに挿通されている。紐部２３は、各孔部２１ａから前側アッパー部３の近傍に位置する各環状部２２ａに向かって架け渡されるように環状部２２ａ，２２ａに挿通されている。紐部２３は、環状部２２ａと環状部２２ｂとに交互に架け渡されるように各環状部２２ａおよび各環状部２２ｂに挿通されている。紐部２３は、足挿入部２ａ近傍に位置する各環状部２２ｂから各環状部２２ｃに向かって架け渡されるように環状部２２ｃ，２２ｃに挿通されている。紐部２３は、各環状部２２ｃから各孔部２１ｂに向かって架け渡されるように孔部２１ｂ，２１ｂに挿通されている。そして、紐部２３の端部同士は、上側アッパー部１０の後部近傍で互いに結ばれた状態となっている。
【００５８】
ここで、図５に示すように、紐部２３が緩められた状態では、第１および第２間隙部１１，１２の各々における上下方向の間隔が相対的に大きくなる。かかる状態では、下側アッパー部５，５および上側アッパー部１０の各々が着用者の足Ｆから離れた状態となる。
【００５９】
一方、図１〜図４に示すように、紐部２３が引き締められた状態では、第１および第２間隙部１１，１２の各々における上下方向の間隔が相対的に小さくなる。かかる状態では、下側アッパー部５，５および上側アッパー部１０の各々が内側縦アーチＭＡおよび外側縦アーチＬＡの位置を含む着用者の足Ｆの外周面に向かって接触した状態となる。具体的に、第１アーチ被覆部７が着用者の足Ｆの内側縦アーチＭＡを下方から支持した状態となる一方、第２アーチ被覆部９が着用者の足Ｆの外側縦アーチＬＡを側方から支持した状態となる。
【００６０】
［実施形態の作用効果］
以上のように、シューズＳにおいて、緊締部２０により第１アーチ領域１１ｂの上下方向の間隔が狭められた場合には、下側および上側アッパー部５，１０の各々が内側縦アーチＭＡの位置を含む着用者の足Ｆの外周面に向かって接近するようになる（図４参照）。かかる場合において、第１アーチ領域１１ｂはその上下方向の間隔が相対的に小さくなるように変位するに過ぎないことから、下側および上側アッパー部５，１０の各々に対する過度な応力集中が抑制される。このため、下側および上側アッパー部５，１０の各々にしわが生じにくくなる。その結果、下側および上側アッパー部５，１０を、内側縦アーチＭＡの位置を含む着用者の足Ｆの外周面にフィットさせやすくなる。特に、内甲側に位置する下側アッパー部５の第１アーチ被覆部７を、複雑な湾曲形状となる着用者の足Ｆの内側縦アーチＭＡに対して下方からフィットさせやすくなる。そして、内側縦アーチＭＡを重点とする着用者の足Ｆを、下側アッパー部５、５および上側アッパー部１０によりシューズＳ内でずれないように安定的に支持することが可能となる。したがって、シューズＳでは、少なくとも内側縦アーチＭＡを重点とする着用者の足Ｆに対するフィット感およびサポート性を向上させることができる。
【００６１】
また、緊締部２０は、第１足指領域１１ａおよび第１アーチ領域１１ｂにおける上下方向の各間隔が狭まるように該各間隔を調整可能に構成されている。このため、緊締部２０により第１足指領域１１ａおよび第１アーチ領域１１ｂの双方における上下方向の間隔を狭めることにより、下側および上側アッパー部５，１０を、足指から内側縦アーチＭＡに亘る部位を含む着用者の足Ｆの外周面にフィットさせやすくなる。そして、着用者の足Ｆにおいて足指から内側縦アーチＭＡに亘る部位を、下側アッパー部５、５および上側アッパー部１０によりシューズＳ内でずれないように安定的に支持することが可能となる。したがって、シューズＳでは、足指および内側縦アーチＭＡを重点とする着用者の足Ｆに対するフィット感およびサポート性を向上させることができる。
【００６２】
また、緊締部２０は、第２間隙部１２において下側アッパー部５と上側アッパー部１０とを緊締しかつ第２アーチ領域１２ｂの上下方向の間隔が狭まるように該間隔を調整可能に構成されている。かかる構成において、緊締部２０により第２アーチ領域１２ｂの上下方向の間隔が狭められた場合には、下側および上側アッパー部５，１０の各々が外側縦アーチＬＡの位置を含む着用者の足Ｆの外周面に向かって接近するようになる。かかる場合において、第２アーチ領域１２ｂはその上下方向の間隔が相対的に小さくなるように変位するに過ぎないことから、外甲側において下側および上側アッパー部５，１０の各々に対する過度な応力集中が抑制される。このため、外甲側において下側および上側アッパー部５，１０の各々にしわ等が生じにくくなる。その結果、下側および上側アッパー部５，１０を、外甲側において着用者の足Ｆの外周面にフィットさせやすくなる。特に、外甲側に位置する下側アッパー部５の第２アーチ被覆部９を、着用者の足Ｆの外側縦アーチＬＡを構成する各骨の一部が外甲側に向かって突出する部位をその側方から包み込むようにフィットさせやすくなる。したがって、シューズＳでは、外側縦アーチＬＡを含めた着用者の足Ｆに対するフィット感を向上させることができる。
【００６３】
また、緊締部２０は、少なくとも１本の紐部２３を含み、該紐部２３の端部同士が上側アッパー部１０の後部の位置で互いに結ばれた状態となるように構成されている。かかる構成により、第１および第２間隙部１１，１２に配置された紐部２３を一般的なシューズＳのように縛ることができる。
【００６４】
［実施形態の変形例１］
上記実施形態では、ソール１がアウトソール１ａおよびミッドソール１ｂを有する形態を示したが、この形態に限られない。例えば、図６〜図８に示したシューズＳの変形例１のように、アウトソール１ａからなるソール１を備えたクリーツシューズとしてもよい。
【００６５】
また、上記実施形態では、緊締部２０を、孔部２１ａ，２１ａと、孔部２１ｂ，２１ｂ，…と、環状部２２ａ，２２ａ，…と、環状部２２ｂ，２２ｂ，…と、環状部２２ｃ，２２ｃと、１本の紐部２３とにより構成した形態を示したが、この形態に限られない。例えば、図６〜図８に示したシューズＳの変形例１のように、環状部２２ａ，２２ａ，…に代えて孔部２４ａ，２４ａ，…を適用しかつ環状部２２ｂ，２２ｂ，…に代えて孔部２４ｂ，２４ｂ，…を適用してもよい。このような変形例１であっても、上記実施形態と同様に、緊締部２０としての機能を果たすことができる。
【００６６】
［実施形態の変形例２］
上記実施形態では、上側アッパー部１０が前側アッパー部３と一体形成された形態を示したが、この形態に限られない。例えば、図９に示したシューズＳの変形例１のように、上側アッパー部１０と前側アッパー部３とを分離した形態としてもよい。かかる形態では、上側アッパー部１０を、前側アッパー部３および下側アッパー部５、５に対して着脱可能に取り付けることができる。
【００６７】
［その他の実施形態］
上記実施形態では、第１間隙部１１が第１足指領域１１ａおよび第１アーチ領域１１ｂを含む形態を示したが、この形態に限られず、第１間隙部１１が第１アーチ領域１１ｂのみからなる形態としてもよい。かかる形態では、第１足指領域１１ａに対応する位置において、下側アッパー部５の上端部と上側アッパー部１０の周縁部が互いに連続するように形成されていればよい。
【００６８】
また、上記実施形態では、第２間隙部１２が第２足指領域１２ａおよび第２アーチ領域１２ｂを含む形態を示したが、この形態に限られない。すなわち、第２間隙部１２が第２アーチ領域１２ｂのみからなる形態としてもよい。かかる形態では、第２足指領域１２ａに対応する位置において、下側アッパー部５の上端部と上側アッパー部１０の周縁部が互いに連続するように形成されていればよい。
【００６９】
また、上記実施形態では、アッパー２が第１間隙部１１および第２間隙部１２を有する形態を示したが、この形態に限られず、アッパー２が第１間隙部１１のみを有する形態としてもよい。
【００７０】
また、上記実施形態では、緊締部２０を構成する一要素として紐部２３を適用した形態を示したが、この形態に限られない。例えば、紐部２３に代えて、図示しないベルトまたはワイヤなどの部材を適用してもよい。
【００７１】
また、上記実施形態では、緊締部２０が環状部２２ｃ，２２ｃを含む形態を示したが、この形態に限られない。すなわち、緊締部２０が環状部２２ｃ，２２ｃを含まない形態としてもよい。かかる形態では、紐部２３を、足挿入部２ａ近傍に位置する環状部２２ａまたは環状部２２ｂから各孔部２１ｂに架け渡すようにすればよい。
【００７２】
以上、本発明についての実施形態を説明したが、本発明は上述の実施形態のみに限定されず、発明の範囲内で種々の変更が可能である。
【産業上の利用可能性】
【００７３】
本発明は、例えばランニング用や各種競技用のスポーツシューズ、日常使用のスニーカーおよびリハビリ用シューズとして産業上の利用が可能である。
【符号の説明】
【００７４】
Ｓ：シューズ
１：ソール
２：アッパー
３：前側アッパー部
４：後側アッパー部
５：下側アッパー部
６：第１足指被覆部
７：第１アーチ被覆部
８：第２足指被覆部
９：第２アーチ被覆部
１０：上側アッパー部
１１：第１間隙部
１２：第２間隙部
１１ａ：第１足指領域
１１ｂ：第１アーチ領域
１２ａ：第２足指領域
１２ｂ：第２アーチ領域
２０：緊締部
２３：紐部
Ｆ：足
ＤＰ：拇趾末節骨
ＭＴ１：拇趾中足骨
ＭＴ５：小趾中足骨
ＣＭ：内側楔状骨
ＮＢ：舟状骨
ＴＢ：距骨
ＣＢ：立方骨
ＨＬ：踵骨
ＭＡ：内側縦アーチ
ＬＡ：外側縦アーチ
【図１】
2020039477.tif 000003
【図２】
2020039477.tif 000004
【図３】
2020039477.tif 000005
【図４】
2020039477.tif 000006
【図５】
2020039477.tif 000007
【図６】
2020039477.tif 000008
【図７】
2020039477.tif 000009
【図８】
2020039477.tif 000010
【図９】
2020039477.tif 000011